(57)【要約】【課題】環境によっては従来の大きさのデータホルダーが使えないという不都合を解決すること。【解決手段】三枚の羽のみで書類等を挟むだけの単純かつ小型で軽量でありながら、書類等を固定させるに十分な保持力を有する板状データホルダーを接着剤あるいは両面テープ等で職場の環境にあった場所に取り付けて使用することでこの課題を解決する。【選択図】図１
2008195052.tif 000002
【特許請求の範囲】
【請求項１】
書類等を保持させ、その書類等を見ながらデータ処理作業等を行う時に用いるデータホルダーにおいて、羽１、書類等を誘導するための曲がり３の有る羽２、羽１だけで構成され、隙間３の間を通して羽２、羽１が挟む圧力で書類等を固定させる、形状が単純、小型で軽量に生産できることを特徴とするデータホルダー。
【請求項２】
羽１が壁面１０の方向に反るための段差７を施すことで書類等を挟み易くしたことを特徴とする、請求項１記載のデータホルダー。
【請求項３】
挟んだ書類等に対しさらに摩擦力を高める目的で隙間３の上部に角形状６を作るよう、円もしくは多角形の穴５を施したことを特徴とする、請求項１記載のデータホルダー。
【請求項４】
裏面に接着剤もしくは両面テープ等８といった取り外し可能な手段で壁面等に取り付けて使用できることを特徴とする、請求項１記載のデータホルダー。
【発明の詳細な説明】
【技術分野】
【０００１】本発明は、データホルダーに関する。
【背景技術】
【０００２】書類等を保持させ、その書類等を見ながらデータ処理作業等を行う時に用いるデータホルダーにおいては、現在様々な提案がなされている。
【特許文献１】特開２０００−２９３２６４号公報
【特許文献２】特開２００４−０７０９０７号公報
【発明の開示】
【発明が解決しようとする課題】
【０００３】しかし現在様々な提案がなされているデータホルダーにおいては、幅、高さとも大型で、あらゆる環境に適応したものではない。本発明はこのように大型で場所をとり環境によっては使用できないという従来のデータホルダーの不都合を解決することを課題とする。
【課題を解決するための手段】
【０００４】この課題を解決するための請求項１の発明は、羽１、書類等を誘導するための曲がり３の有る羽２、羽１、だけで書類等を保持させるよう構成された、データホルダーである。形状が単純なため、素材を選ばず小型で軽量、かつ低コストで製造でき、その上書類等に対し十分な保持力を発揮するデータホルダーである。【０００５】また、請求項２の発明は、小型でありながら書類等を素早く挟みやすくする目的で、羽１が壁面１０の方向に反るための段差７を施したデータホルダーである。この段差７により接着剤あるいは両面テープ等８で壁面に貼り付けて使用する際に、書類等を保持しやすくなっている。【０００６】また、請求項３の発明は、小型でありながら書類等に対し十分な摩擦力を得る目的で、隙間３の上部に円もしくは多角形の穴５を施すことで角形状６が形成されたデータホルダーである。隙間４の部分と穴５の部分とで書類等に対する曲げ力が異なることで発生する歪みに角形状６が接することで摩擦力が生まれ、書類等を保持する力になる。【０００７】また、請求項４の発明は、小型で軽量なため、裏面に接着剤もしくは両面テープ等８といった取り外し可能な手段で取り付けて使用できるデータホルダーである。これにより職場の環境にあった場所で使用でき、簡単に取り外しができる。
【発明の効果】
【０００８】本発明により、環境に左右されることなく必要な場所にデータホルダーを使用することができる。
【発明を実施するための最良の形態】
【０００９】図１は、書類等を保持するための羽、羽２を表したデータホルダーの表面の姿図である。羽２には、書類等を壁面方向に誘導するための３０度から６０度程度の曲がり３が施されている。隙間４の上部に円もしくは多角形の穴５を施していることにより、穴５の部分の羽１の幅とその他の部分の羽１の幅、穴５の部分の羽２の幅とその他の部分の羽２の幅、がそれぞれ異なり書類等に対する曲げ力も異なる。書類等に与える曲げの歪みに角形状６が接し、隙間４のみの形状より高い摩擦力を発揮している。【００１０】図２は取り付けに接着剤もしくは両面テープ等３を使用することにより、必要な場所に貼り付けて使用できることを示した、データホルダーの裏面の姿図である。【００１１】図３は羽１、羽２の曲がり３、および書類等を挟みやすくする為羽１が壁面に反るための段差７を現した、壁面に接着したときのデータホルダーの側面の姿図である。【００１２】図４は書類等を挟んだ場合の、羽１、羽２の動きを表したデータホルダーの側面の姿図である。羽１、羽２はスムーズに書類等を挟むことができるよう、薄く、曲り易いほうが使い勝手が良いが、余り薄すぎても、曲げに対する反動が弱くなり、書類等を保持する力が弱くなるので、プラスチック製で０．５ｍｍ前後に穴５を施すことでちょうどバランスが取れる。また羽の曲げに対する反動を強くするため、本体は羽より厚くすることで羽の曲げ力に対し強い反力を発するようにした。【００１３】図５はデータホルダーの壁面に取り付けた場合の上から見下ろした姿図である。【００１４】図６はデータホルダーの壁面に取り付けた場合の下から見上げた姿図である。【００１５】図７はデータホルダーに書類等を保持させた場合の表面の姿図である。角形状６を境に書類等にかかる曲げ力、角度とも異なり、よって発生した形の歪に角形状６が接することで、書類等を保持する力になる。【００１６】この簡易データホルダーの素材はプラスチックやゴム等といった樹脂から、金属、木材などなんでも良いが、できるだけ軽量で低コストのものが望ましい。
【産業上の利用可能性】
【００１７】本発明に係る簡易データホルダーは工業的に量産する事が可能であるため、産業上の利用可能性を有する。
【図面の簡単な説明】
【００１８】
【図１】データホルダーの表面の姿図である。
【図２】データホルダーの裏面の姿図である。
【図３】データホルダーの側面の姿図である。
【図４】データホルダーの書類等を挟んだ場合の側面の姿図である。
【図５】データホルダーの壁面に取り付けた場合の上から見下ろした姿図である。
【図６】データホルダーの壁面に取り付けた場合の下から見上げた姿図である。
【符号の説明】
【００１９】  １      書類を挟んだ際、書類の裏側に位置する曲がり３の無い羽。
２      書類を挟んだ際、書類の表側に位置する曲がり３の有る羽。
３      書類等を壁面側に誘導する曲がり。
４      羽１、羽２の隙間。
５      隙間４の上部に施された円、もしくは多角形の穴。
６      隙間４と穴５の間に形成された角形状。
７      羽１が反るための段差。
８      ホルダーを壁面に接着させるための接着剤或いは両面テープ等。
９      書類等。
１０      壁面。
【図１】
2008195052.tif 000003
【図２】
2008195052.tif 000004
【図３】
2008195052.tif 000005
【図４】
2008195052.tif 000006
【図５】
2008195052.tif 000007
【図６】
2008195052.tif 000008
【図７】
2008195052.tif 000009
【手続補正書】
【提出日】平成19年4月6日(2007.4.6)
【手続補正１】
【補正対象書類名】特許請求の範囲
【補正対象項目名】請求項１
【補正方法】変更
【補正の内容】
【請求項１】
書類等を保持させ、その書類等を見ながらデータ処理作業等を行う時に用いるデータホルダーにおいて、羽１、書類等を誘導するための曲がり３の有る羽２、羽１だけで構成され、或いは書類等を誘導するための曲がり３の有る羽１、羽２、書類等を誘導するための曲がり３の有る羽１だけで構成され、隙間３の間を通して羽２、羽１が挟む圧力で書類等を固定させる、形状が単純、小型で軽量に生産できることを特徴とするデータホルダー。
【手続補正２】
【補正対象書類名】明細書
【補正対象項目名】０００４
【補正方法】変更
【補正の内容】
【０００４】この課題を解決するための請求項１の発明は、羽１、書類等を誘導するための曲がり３の有る羽２、羽１、或いは書類等を誘導するための曲がり３の有る羽１、羽２、書類等を誘導するための曲がり３の有る羽１だけで書類等を保持させるよう構成された、データホルダーである。形状が単純なため、素材を選ばず小型で軽量、かつ低コストで製造でき、その上書類等に対し十分な保持力を発揮するデータホルダーである。
【手続補正３】
【補正対象書類名】明細書
【補正対象項目名】０００９
【補正方法】変更
【補正の内容】
【０００９】図１及び図８は、書類等を保持するための羽１、羽２を表したデータホルダーの表面の姿図である。羽２、図８の場合においては羽１には、書類等を壁面方向に誘導するための３０度から６０度程度の曲がり３が施されている。隙間４の上部に円もしくは多角形の穴５を施していることにより、穴５の部分の羽１の幅とその他の部分の羽１の幅、穴５の部分の羽２の幅とその他の部分の羽２の幅、がそれぞれ異なり書類等に対する曲げ力も異なる。書類等に与える曲げの歪みに角形状６が接し、隙間４のみの形状より高い摩擦力を発揮している。
【手続補正４】
【補正対象書類名】明細書
【補正対象項目名】００１８
【補正方法】変更
【補正の内容】
【００１８】
【図１】データホルダーの表面の姿図である。
【図２】データホルダーの裏面の姿図である。
【図３】データホルダーの側面の姿図である。
【図４】データホルダーの書類等を挟んだ場合の側面の姿図である。
【図５】データホルダーの壁面に取り付けた場合の上から見下ろした姿図である。
【図６】データホルダーの壁面に取り付けた場合の下から見上げた姿図である。
【図７】データホルダーの書類等を挟んだ場合の表面の姿図である。
【図８】データホルダーの書類等を誘導するための曲がり３が羽１に有る場合の表面の姿図である。
【手続補正５】
【補正対象書類名】図面
【補正対象項目名】全図
【補正方法】変更
【補正の内容】
【図１】
2008195052.tif 000010
【図２】
2008195052.tif 000011
【図３】
2008195052.tif 000012
【図４】
2008195052.tif 000013
【図５】
2008195052.tif 000014
【図６】
2008195052.tif 000015
【図７】
2008195052.tif 000016
【図８】
2008195052.tif 000017
【手続補正書】
【提出日】平成19年4月6日(2007.4.6)
【手続補正１】
【補正対象書類名】明細書
【補正対象項目名】００１８
【補正方法】変更
【補正の内容】
【００１８】
【図１】データホルダーの表面の姿図である。
【図２】データホルダーの裏面の姿図である。
【図３】データホルダーの側面の姿図である。
【図４】データホルダーの書類等を挟んだ場合の側面の姿図である。
【図５】データホルダーの壁面に取り付けた場合の上から見下ろした姿図である。
【図６】データホルダーの壁面に取り付けた場合の下から見上げた姿図である。
【図７】データホルダーの、書類等を挟んだ場合の表面の姿図である。